(57)【要約】【課題】基板ユニットの部品交差や組立公差の影響を解消して、ガタの調整やスムーズな挿入を実現することができる基板実装装置を得ることを目的とする。【解決手段】シャーシ５を基板支持部５ａとガイド接触部５ｂとに分割し、位置調整部材によって基板支持部５ａとガイド接触部５ｂの位置関係を調整自在に固定するように構成した。これにより、基板ユニット３の部品交差や組立公差の影響を解消して、ガタの調整やスムーズな挿入を実現することができる効果を奏する。【選択図】        図１
2004319844.tif 000002
【特許請求の範囲】
【請求項１】
少なくとも１以上のガイド溝が形成されている収納ラックと、所定の機能を実現する回路が搭載されている基板と、上記収納ラックのガイド溝に挿入され、上記基板を支持する支持部材とを備えた基板実装装置において、上記支持部材を上記収納ラックのガイド溝に接触するガイド接触部と、上記基板を支持する基板支持部とに分割し、位置調整部材によって上記ガイド接触部と上記基板支持部の位置関係を調整自在に固定したことを特徴とする基板実装装置。
【請求項２】
樹脂材料を用いて支持部材のガイド接触部を形成したことを特徴とする請求項１記載の基板実装装置。
【請求項３】
支持部材が収納ラックのガイド溝に挿入されている状態から前方に引き出されると、その支持部材の端部と当接するストッパーを上記収納ラックに取り付けたことを特徴とする請求項１記載の基板実装装置。
【請求項４】
支持部材が収納ラックのガイド溝に挿入されている状態から前方に引き出されると、その支持部材の端部と当接するストッパーを上記収納ラックのガイド溝と一体形成したことを特徴とする請求項１記載の基板実装装置。
【請求項５】
支持部材の一部に切り欠きを施したことを特徴とする請求項４記載の基板実装装置。
【発明の詳細な説明】
【０００１】
【発明の属する技術分野】
この発明は、基板ユニットを収納ラックに収納する基板実装装置に関するものである。
【０００２】
【従来の技術】
従来の基板実装装置は、所定の機能を実現する回路が搭載されている基板と、その基板を支持するシャーシとからなる基板ユニットを収納ラックのガイド溝に挿入するようにしている。
なお、上記従来例の他に、基板ユニットの脱落を防止する目的で、基板の断面形状をＬ字型にしている基板実装装置が以下の特許文献１に開示されている。
【０００３】
【特許文献１】
特開平８−２２２８９７号公報（段落番号［０００６］から［００１１］、図１）
【０００４】
【発明が解決しようとする課題】
従来の基板実装装置は以上のように構成されているので、基板ユニットの部品交差や組立公差の影響により、基板ユニットが収納ラックのガイド溝に実装されたときにガタが生じたり、基板ユニットを収納ラックのガイド溝にスムーズに挿入できなかったりすることがある課題があった。
【０００５】
この発明は上記のような課題を解決するためになされたもので、基板ユニットの部品交差や組立公差の影響を解消して、ガタの調整やスムーズな挿入を実現することができる基板実装装置を得ることを目的とする。
【０００６】
【課題を解決するための手段】
この発明に係る基板実装装置は、支持部材を収納ラックのガイド溝に接触するガイド接触部と、基板を支持する基板支持部とに分割し、位置調整部材によってガイド接触部と基板支持部の位置関係を調整自在に固定するようにしたものである。
【０００７】
【発明の実施の形態】
以下、この発明の実施の一形態を説明する。
実施の形態１．
図１はこの発明の実施の形態１による基板実装装置を示す斜視図であり、図２は図１の基板ユニットの要部を示す拡大斜視図である。
図において、収納ラックである通信用サブラック１には複数のガイド溝２が形成され、そのガイド溝２に基板ユニット３を収納する。
基板ユニット３の基板４は所定の機能を実現する回路（例えば、ＩＣ回路など）を搭載しており、基板ユニット３のシャーシ（支持部材）５は通信用サブラック１のガイド溝２に挿入され、ネジ止めによって基板４を支持している。
ただし、シャーシ５は基板４を支持する基板支持部５ａと通信用サブラック１のガイド溝２に接触するガイド接触部５ｂとに分割されている。なお、ガイド接触部５ｂには縦長のネジ穴６，７が開けられ、固定ネジ８，９によって基板支持部５ａとガイド接触部５ｂが固定される。ネジ穴６，７及び固定ネジ８，９から基板支持部５ａとガイド接触部５ｂの位置関係を調整自在に固定する位置調整部材を構成している。１０は基板ユニット３の前面パネルである。
【０００８】
次に動作について説明する。
基板ユニット３は基板４とシャーシ５から構成されているが、シャーシ５は基板４を支持する基板支持部５ａと通信用サブラック１のガイド溝２に接触するガイド接触部５ｂとに分割されている。
シャーシ５のガイド接触部５ｂには縦長のネジ穴６，７が開けられ、固定ネジ８，９によって基板支持部５ａとガイド接触部５ｂが固定される。
【０００９】
上記の基板ユニット３が組み立てられたのち、基板ユニット３のシャーシ５が通信用サブラック１のガイド溝２に挿入されて、基板ユニット３が通信用サブラック１に実装される。
しかし、シャーシ５の縦方向の寸法が通信用サブラック１の縦方向の寸法（上部のガイド溝２と、下部のガイド溝２との間隔）と略一致しない場合、基板ユニット３が通信用サブラック１のガイド溝２に実装されたときにガタが生じたり、基板ユニット３を通信用サブラック１のガイド溝２にスムーズに挿入できなかったりすることがあるが、シャーシ５のガイド接触部５ｂには縦長のネジ穴６，７が開けられており、固定ネジ８，９によって基板支持部５ａとガイド接触部５ｂを固定する際、基板支持部５ａとガイド接触部５ｂの位置関係を調整することができる。また、固定後であっても、固定ネジ８，９を緩めることによって、基板支持部５ａとガイド接触部５ｂの位置関係を調整することができる。
したがって、シャーシ５の縦方向の寸法が通信用サブラック１の縦方向の寸法と略一致するように調整することができる。
【００１０】
以上で明らかなように、この実施の形態１によれば、シャーシ５を基板支持部５ａとガイド接触部５ｂとに分割し、位置調整部材によって基板支持部５ａとガイド接触部５ｂの位置関係を調整自在に固定するように構成したので、基板ユニット３の部品交差や組立公差の影響を解消して、ガタの調整やスムーズな挿入を実現することができる効果を奏する。
【００１１】
実施の形態２．
上記実施の形態１では、シャーシ５のガイド接触部５ｂを板金部品で形成するものを想定しているが、ガイド接触部５ｂを樹脂などの成形品で形成してもよい。
このように、樹脂材料を用いてガイド接触部５ｂを形成すれば、安価なガイド接触部５ｂを提供することができる効果を奏する。
【００１２】
実施の形態３．
図３はこの発明の実施の形態３による基板実装装置を示す斜視図であり、図において、図１と同一符号は同一または相当部分を示すので説明を省略する。
ストッパー１１は基板ユニット３が通信用サブラック１に実装されたのち、通信用サブラック１に取り付けられ、基板ユニット３が前方に引き出されると、シャーシ５の端部５ｃ（図１を参照）と当接して、基板ユニット３の脱落を防止する。
【００１３】
即ち、上記実施の形態１と同様にして、基板ユニット３のガタが調整されたのち、基板ユニット３が通信用サブラック１に実装されると、ストッパー１１を例えば、通信用サブラック１の上部のガイド溝２を塞ぐように、通信用サブラック１にネジ等を用いて取り付ける（下部のガイド溝２を塞ぐように取り付けてもよい）。
これにより、ユーザが基板ユニット３を前方に引き出すと、シャーシ５の端部５ｃがストッパー１１と当接するので、基板ユニット３の脱落を防止することができる。
ここで、基板４は、図１及び図３からも明らかなように、シャーシ５よりも高さが低いので、ストッパー１１が通信用サブラック１に取り付けられても、ストッパー１１に当接することはない。
【００１４】
実施の形態４．
上記実施の形態３では、基板ユニット３が通信用サブラック１に実装されたのち、ストッパー１１を通信用サブラック１に取り付けるものについて示したが、通信用サブラック１のガイド溝２を形成する際に、そのガイド溝２がストッパー１１の機能を備えるように、ガイド溝２とストッパー１１を一体形成するようにしてもよい。図４のガイド溝１２は、ストッパーの機能を備えているガイド溝である。
【００１５】
ただし、ストッパーの機能を備えているガイド溝１２を通信用サブラック１に形成した場合、基板ユニット３を通信用サブラック１に実装する前の状態からストッパーが存在し、通信用サブラック１に対する基板ユニット３の実装が困難になる場合もあることが考えられるので、図４に示すように、シャーシ５の基板支持部５ａの一部に切り欠き５ｄ，５ｅを施すようにしている。
これにより、基板ユニット３のシャーシ５をガイド溝１２に挿入する際に、基板ユニット３を傾けながら挿入するなどすれば、ガイド溝１２のストッパー部分を避けながら挿入することができる。
【００１６】
【発明の効果】
以上のように、この発明によれば、支持部材を収納ラックのガイド溝に接触するガイド接触部と、基板を支持する基板支持部とに分割し、位置調整部材によってガイド接触部と基板支持部の位置関係を調整自在に固定するように構成したので、基板ユニット３の部品交差や組立公差の影響を解消して、ガタの調整やスムーズな挿入を実現することができる効果がある。
【図面の簡単な説明】
【図１】この発明の実施の形態１による基板実装装置を示す斜視図である。
【図２】図１の基板ユニットの要部を示す拡大斜視図である。
【図３】この発明の実施の形態３による基板実装装置を示す斜視図である。
【図４】基板ユニットとガイド溝の要部を示す拡大斜視図である。
【符号の説明】
１  通信用サブラック（収納ラック）、２  ガイド溝、３  基板ユニット、４基板、５  シャーシ（支持部材）、５ａ  基板支持部、５ｂ  ガイド接触部、５ｃ  端部、５ｄ，５ｅ  切り欠き、６，７  ネジ穴（位置調整部材）、８，９固定ネジ（位置調整部材）、１０  前面パネル、１１  ストッパー、１２  ガイド溝。
【図１】
2004319844.tif 000003
【図２】
2004319844.tif 000004
【図３】
2004319844.tif 000005
【図４】
2004319844.tif 000006